(57)【特許請求の範囲】
【請求項１】
データの書込みおよび読出し可能な記録手段と、データの送受信を行う通信手段と、これら手段を制御する制御手段を内蔵してコイン状に形成したＩＣコインを投入して、該ＩＣコインと通信処理するＩＣコイン処理装置であって、
軸支した回動体に前記ＩＣコインを保持する保持部を形成し、
上記保持部を前記ＩＣコインの投入口と内部の通信位置とに正逆回動すべく回動体に駆動手段を連結した
ＩＣコイン処理装置。
【請求項２】
前記回動体をディスク状に形成し、前記保持部を円周上に複数個所形成した
請求項１に記載のＩＣコイン処理処理装置。
【請求項３】
前記駆動手段をゼネバギヤ機構により形成した
請求項１または２に記載のＩＣコイン処理装置。
【請求項４】
前記回動体の保持部の回動軌跡上に対して、該保持部に対するＩＣコインの供給が可能に複数のＩＣコインをプールしたプール手段を対設した
請求項１、２または３記載のＩＣコイン処理装置。
【請求項５】
前記回動体の保持部の回動軌跡上に対して、該保持部に保持されたＩＣコインを回収する回収手段を対設した
請求項１、２または３記載のＩＣコイン処理装置。
【請求項６】
前記回動体の保持部の回動軌跡上に対して、該保持部にＩＣコインを補給するＩＣコイン補給手段手段を対設した
請求項１、２または３記載のＩＣコイン処理装置。
【請求項７】
前記請求項１、２、３、４、５または６に記載のＩＣコイン処理装置を遊技動体を払出す払出し手段に併設して、該ＩＣコイン処理装置の処理を前記ＩＣコインに対して払い出し可否のための通信処理を行うように設定した
遊技機用ＩＣコイン処理装置。
【発明の詳細な説明】
【０００１】
【発明が属する技術分野】
この発明は、例えば、パチンコ遊技場において、パチンコあるいはスロットルマシン（パチスロ）の遊技に使用されるパチンコ球やメダルのような遊技動体の払出し用媒体となるＩＣコインの処理装置に関する。
【０００２】
【従来の技術】
従来、パチンコ遊技場において、パチンコ球やメダルのような遊技動体の払出し用媒体としては、プリペイドカードがある。このカードはホールの特定位置でプレーヤが現金を投入することによって発行し、該カードはプレーヤが遊技機に隣設した台間機（例えば、プリペードカード用遊技球払出し機）に投入することに基づいて、パチンコ球やメダルなどの遊技動体が払出される。
【０００３】
上述のプリペードカードによれば、現金の管理については有効であるが、その取扱いやコストの面で問題点がある。例えば、データの記録に方向性があるので、プレーヤは使用の度にカードの方向を確認なて使用する必要があり、また、カードが傷付いたり、汚れたりすると、読取りに不良が生じる。さらに、カードに記録した価値データがなくなると、該カードは破棄されて、再利用でないのでランニングコストが高くつくなどの問題点を有する。そこで出願人はこれらの問題点を解決する払出し用媒体として、ＩＣコインを開発した。
【０００４】
このＩＣコインは、データの書込みおよび読出し可能な記録手段と、データの送受信を行う通信手段と、これら手段を制御する制御手段を内蔵してコイン状に形成したものであり、前述のプリペイドカードの問題点を解決し、より有効な特徴を持っている。
【０００５】
【発明が解決しようとする課題】
この発明は、上述のように開発したＩＣコインを機器で処理する場合、その機器の構成が単順化でき、かつ、コンパクトに形成でき、台間機に内蔵することに有効なＩＣコイン処理装置の提供を目的とする。
【０００６】
【課題を解決するための手段】
この発明は、データの書込みおよび読出し可能な記録手段と、データの送受信を行う通信手段と、これら手段を制御する制御手段を内蔵してコイン状に形成したＩＣコインを投入して、該ＩＣコインと通信処理するＩＣコイン処理装置であって、軸支した回動体に前記ＩＣコインを保持する保持部を形成し、上記保持部を前記ＩＣコインの投入口と内部の通信位置とに正逆回動すべく回動体に駆動手段を連結したＩＣコイン処理装置であることを特徴とする。
【０００７】
上述の回転体の保持部におけるＩＣコインの保持方向は、ＩＣコインの平面が水平方向、または垂直方向、これらの合成方向のいずれでも可能である。しかし、垂直方向にしたときは装置の幅をコンパクトにすることで殊に有効である。
【０００８】
上述した回動体の保持部は一箇所であって、この一箇所の保持部を投入口と通信位置とに揺動するように設けることも包含される。
【０００９】
実施の態様として、前記回動体をディスク状に形成し、前記保持部を円周上に複数個所形成することができる。
【００１０】
実施の態様として、前記駆動手段をゼネバギヤ機構により形成することができる。
【００１１】
実施の態様として、前記回動体の保持部の回動軌跡上に対して、該保持部に対するＩＣコインの供給が可能に複数のＩＣコインをプールしたプール手段を対設することができる。
【００１２】
実施の態様として、前記回動体の保持部の回動軌跡上に対して、該保持部に保持されたＩＣコインを回収する回収手段を対設することができる。
【００１３】
実施の態様として、前記回動体の保持部の回動軌跡上に対して、該保持部にＩＣコインを補給するＩＣコイン補給手段を対設することができる。
【００１４】
実施の態様として、前記ＩＣコイン処理装置を遊技動体を払出す払出し手段に併設して、該ＩＣコイン処理装置の処理を前記ＩＣコインに対して払出し可否のための通信処理を行うように設定して台間機とすることができる。
【００１５】
【発明の作用・効果】
この発明によれば、ＩＣコインを保持した回動体を、投入口と装置内部の通信位置とに正逆回動（または往復回動）させれば、ＩＣコインに対してのデータ処理が可能であるため、装置の構成は回動制御できる単純化構成ですみ、また、回動体の駆動手段が厚みの薄い円盤形状で形成できるためコンパクトに形成できる。
【００１６】
殊に、ＩＣコインは直径の寸法より厚みの寸法が小さいので、これを利用してＩＣコインの保持姿勢を面の垂直方向にすることにより装置をコンパクトに構成することができ、例えば、台間機の厚みを３mm以内に規制しても、その規制幅内に十分構成することができる。
【００１７】
回転体の回動位置制御にゼネバギヤ機構を用いる場合は、投入口および通信位置、あるいは他のプール位置といった位置制御が正確に行えるので、該機構を駆動するモータは高精度を必要とすることなく、安価なモータの使用が可能となり、これらによって装置を安価に製作することができる。
【００１８】
回転体に保持部を複数個所形成することにより、該回転体の周面をＩＣコインのプール部として使用することができ、プールしているＩＣコインを使用下におくことが速くでき処理速度を上げることができる。
【００１９】
また、回転体にＩＣコインの回収部、あるいは補給部を対設することにより、回転体によるＩＣコインの処理が通信処理のみではなく、ＩＣコインの回収や補給ができ、有効なＩＣコインの処理ができる。
【００２０】
しかも、回転体の保持部は、投入口から投入されるＩＣコインを保持したり、取出したりできて、ＩＣコインの出入りが容易な形状に形成されていることから、これにＩＣコインの回収部や補給部を接続する時、これらの機構を回動体に対設するだけで、ＩＣコインの回収、補給の移動が円滑にでき、各機構の接続が容易となる。
【００２１】
【発明の実施の形態】
この発明の一実施の形態を以下図面と共に説明する。
【００２２】
図面は、遊技機用ＩＣコインを用いる遊技機システムを示し、図１は遊技機システムを示し、ホストコンピュータ１０に対して、複数の島Ａ１，Ａ２の遊技機１１（パチンコ遊技台１１ａ、スロットル（パチスロ）遊技台１１ｂ）の一側に隣設した台間機１２（パチンコ用台間機１２ａ、スロットル用台間機１２ｂ）がケーブル１３を介して、データの送受信が可能に接続し、また、ＩＣコイン発行機１４、およびＩＣコイン精算機１５もケーブル１３を介してデータの送受信が可能に接続している。また、上述のホストコンピュータ１０は他のシステム、例えば、営業管理用のホストコンピュータに接続することができる。
【００２３】
上述のパチンコ遊技台１１ａはパチンコ球を遊技動体として遊技し、また、スロットル遊技台１１ｂはメダルを遊技動体として遊技することは周知の通りである。
【００２４】
台間機１２は、パチンコ球またはメダルなどの遊技機１１（１１ａ，１１ｂ）に対応した遊技動体を払出し、この遊技動体の払出し用媒体としてＩＣコイン（後述する）を設定している。
【００２５】
上述のＩＣコインは台間機１２に現金を投入することにより発行して、この発行したＩＣコインを遊技媒体の払出しに使用することができると共に、前述のＩＣコイン発行機１４で発行したＩＣコインを払出しに使用することもできる。
【００２６】
なお、島Ａ１，Ａ２の端部には、遊技機１１に投入した現金（紙幣）を回収し、また、遊技機１１にプールしたＩＣコインがオーバフローした場合、これを回収する回収機１６を配設している。
【００２７】
前述のＩＣコイン発行機１４は、前述のＩＣコイン、すなわち、遊戯機１１における遊技動体（パチンコ球またはメダル）の払出し用媒体として使用するＩＣコイン（後述する）を発行し、この発行は現金（貨幣）の投入に基づいて、該現金の金額（価値）に対応する金額（価値）のデータをＩＣコインに記録して放出する。
【００２８】
前述のＩＣコイン精算機１５は、プレーヤが遊技を止めた際、使用したＩＣコインに残価値がある場合、ＩＣコインを投入してその残価値分の現金（貨幣）を放出することにより、ＩＣコインの価値を清算する。
【００２９】
図２、図３に示すように、前述のＩＣコイン２０は、全体形状（外観）を合成樹脂で偏平な円盤状、つまりコイン状に形成し、表裏両面は印刷面に設定して、例えば、定額の「１０００円」の金額価値を示す文字を印刷（または刻設）している。なお、金額価値はこれに限定されるものではない。
【００３０】
また、ＩＣコイン２０の内部には、ＩＣモジュウル２１を内蔵している。図４は、ＩＣモジュウル２１に形成される回路構成を示し、ＣＰＵ２２はＲＯＭ２３に格納されたプログラムに沿って、各回路装置を駆動制御し、ＲＡＭ２４は動作に必要なデータを記憶する。不揮発性で消去・再書込み可能なＥＥＰＲＯＭ２５は価値データを記録する。また、Ａ／Ｄ変換器２６とアンテナ２７とにより通信手段を構成しており、この通信手段により台間機１２、ＩＣコイン発行機１４，ＩＣコイン精算機１５に投入されたときそれぞれの本体側の通信手段と非接触状態でデータの送受信が可能である。電源回路２８はアンテナ２７に信号を受信したときの起電力により電源を発生して、各回路に供給している。
【００３１】
図５は、上述のＥＥＰＲＯＭ２５の記録エリアに記録されるデータを示し、記録エリアはデータの書換えが不可能なシステムエリアと、データの書換えが可能なデータエリアとを設定し、
システムエリアには、  ユニーク番号、ホール番号、
データエリアには、    金額（または度数）、日付（発行日）、書込み回数、のデータを記録している。
【００３２】
上述のシステムエリアのユニーク番号データは、各ＩＣコインに割り当たられた番号で、大きな桁数で設定することができるので、他のＩＣコインと番号が重合することが避けられ、このユニーク番号を管理することで不正使用を防止することができる。また、システムエリアのホール番号データは、ＩＣコイン２０の使用を可能にした遊技ホールを示す番号であって、これらの番号を遊技ホールごとに対応させて管理することにより信頼のあるセキュリティが得られる。
【００３３】
前述のデータエリアの金額は、発行時に投入された貨幣の金額価値データであり、日付データはＩＣコイン２０に金額データを記録して発行した発行日、書込み回数データは、データを書き込んだ回数データであって、これらのデータは使用の度に書換えられる。なお、金額のデータに代えて、可能な払出しの回数を示す度数データを価値データとすることもできる。また、書込み回数はＩＣコインの使用限界を設定したときこの回数で規制することができる。
【００３４】
図６、図７は台間機１２を示し、パチンコ用台間機１２ａとスロットル用台間機１２ｂとは払出しの対象である遊技動体がパチンコ球とメダルとの違いであって、ＩＣコイン２０の処理は同一であるため、総合して説明する。
【００３５】
すなわち、台間機１２の前面パネル３１の上部には貨幣、例えば、紙幣の１０００円札を挿入する紙幣挿入口３２を形成し、この紙幣挿入口３２の内部には、紙幣処理部３３を配置し、この紙幣処理部３３は投入された紙幣の有効性を識別する、すなわち、投入紙幣の真偽判別、金種（例えば、１０００円紙幣）の判別を行い、有効な紙幣を識別したときは、紙幣を内部に取込り、無効性を識別したときは紙幣挿入口３２に返却する。
【００３６】
上述の紙幣挿入口３２の下部位置の前面パネル３１は前方に膨出して形成し、この膨出した傾斜面にはＩＣコイン２０のコイン投入および放出（取出し）を行う投入放出口３４を形成している。
【００３７】
上述の投入放出口３４の内部には、ＩＣコイン２０を搬送して通信処理し、かつプールするＩＣコイン処理部３５を配設している。このＩＣコイン処理部３５には、ディスク状（円盤状）であって、円周上の４等分の各位置にＩＣコイン２０を、その面を垂直姿勢にして保持する凹状の保持部３６…を形成した保持ディスク３７を軸支しており、この保持ディスク３７は１つの保持部３６を前述の投入放出口３４に対向して配置し、かつ、正逆方向に回転制御されて、ＩＣコイン２０を通信位置や、プール位置に搬送する。
【００３８】
上述の保持ディスク３７が１枚のＩＣコイン２０を取込んだ位置の保持部３６と対向する位置には、データの送受信を行うアンテナ３８を配置して、該位置を通信位置に設定している。
【００３９】
上述のＩＣコイン処理部３５の下部位置には、遊技動体（パチンコ用台間機１２ａの場合はパチンコ球、スロットル用台間機１２ｂの場合はメダル）を払出す遊技動体払出し部３９を配設しており、該部３８より払出される遊技動体はシュータ４０を介して遊技機１１に供給される。
【００４０】
上述の遊技動体払出し部３９の下部には、前述のアンテナ３８と接続された通信装置４１と、全体を制御する制御部４２とを配設している。
【００４１】
図中、４３は遊技動体の払出しを入力する払出しボタン、４４は遊技動体の払出し状態、およびＩＣコイン２０に記録された残価値を表示する払出し表示器、４５はＩＣコイン２０の返却を入力するＩＣコイン返却ボタンである。
【００４２】
図８、図９は前述のＩＣコイン処理部３５を示し、前述した保持部３６…は、円盤状の保持ディスク３７の一側面側であって、円周上の４等分の各位置を凹状に形成し、ＩＣコイン２０が面の方向で保持できるように形成しており、また、この凹状の保持部３６側の側面は適宜の固定壁を対設することによってＩＣコイン２０の落下を防止している。さらに、前述の投入放出口３４を除いた外周部には周壁５０を対設して、保持部３６に保持したＩＣコイン２０の飛出しを防止するように形成している。
【００４３】
上述の保持ディスク３７は、ゼネバギヤ機構５１により正逆に所定の角度（例えば、角９０度）にごとに駆動されるように構成している。上述のゼネバギヤ機構５１は、ゼネバギヤホイール５２と、ゼネバギヤドライバホイール５３とにより構成している。
【００４４】
ゼネバギヤホイール５２は前述の保持ディスク３７の背面に一体的に形成しており、保持部３６と対応する位置に、半径方向に駆動溝５４…を形成し、これらの各駆動溝５４…の間は、ゼネバギヤホイール５２の回動を禁止するための凹状の規制円弧５５…で接続している。
【００４５】
一方、ゼネバギヤドライバホイール５３には、ゼネバギヤホイール５２の駆動溝５４…に係合してゼネバギヤホイール５２を所定の角度ごとに駆動する駆動ピン５６と、また、上述の駆動ピン５６が駆動溝５４…と外れいてる位置で、ゼネバギヤホイール５２の規制円弧５５…と摺接して該ホイール５２の回動を禁止する摺接円弧５７とを形成している。
【００４６】
したがって、ゼネバギヤドライバホイール５３が１回転すると、その回転中に駆動ピン５６がゼネバギヤホイール５２の駆動溝５４に係合して、これを回動させることによりゼネバギヤホイール５２をこの例では９０度回転させ、駆動ピン５６が駆動溝５４から外れて、摺接円弧５７が規制円弧５５に摺接するとゼネバギヤホイール５２の回動が禁止されて、その結果、ゼネバギヤホイール５２に一体的に形成された保持ディスク３７は正または逆方向に９０度の位置規制させて回動する。
【００４７】
上述のゼネバギヤドライバホイール５３の回転は、正逆転モータ５８により駆動される。すなわち、モータ５８の出力軸５９に取り付けられた第１のギヤ６０、アイドルの第２のギヤ６１を介して、ゼネバギヤドライバホイール５３に連設形成した第３のギヤ６２に動力が伝動されるように形成している。
【００４８】
前述の保持ディスク３７は、初期設定では、投入放出口３４にはＩＣコイン２０がなく、ＩＣコイン２０を受け入れる状態であり、該位置の保持部３６にはＩＤコイン２０の投入および取り出しを検知するために光電センサからなるコインセンサ６５を対設している。
【００４９】
また、投入放出口３４の９０度時計方向に回転した位置は通信手段のアンテナ３８と対向する位置であって、この位置が通信位置であると同時に、第１のコインプール位置Ｐ１に設定し、さらに、この位置から９０度時計方向に回転した位置を第２のコインプール位置Ｐ２に設定し、さらに、９０度時計方向に回転した位置を第３のコインプール位置Ｐ３に設定し、これらにの位置Ｐ１〜Ｐ３は保持部３６の回動軌跡上に設定していることになる。ている。
【００５０】
なお、第２と第３とのコインプール位置Ｐ２，Ｐ３の中間位置には、保持ディスク３７のホームポジションを検知するために光電センサからなるポジションセンサ６６を配設し、該ポジションセンサ６６が保持ディスク３７の特定位置を検知し、これをホームポジションとして正逆回転の所定角度の回動が制御される。
【００５１】
上述の第３のプール位置Ｐ３の位置にはプール回収部７０のプール回収通路７１が接続しており、このプール位置Ｐ３とプール回収通路７１との堺にはゲート板７２を配設している。
【００５２】
図１０にも示すように、上述のゲート板７２はプール回収通路７１を開閉するために該通路７１を出退操作される。この操作のために、ゲート板７２はＬ字状に形成されて、その基端部をピン７３により適宜の固定部に枢着し、さらに、基端部の近傍に第１のソレノイド７４のプランジャ７５をピン７６で連結し、この第１のソレノイド７４を駆動制御することによって、ゲート板７２を出退操作することができる。
【００５３】
第３のプール位置Ｐ３にＩＣコイン２０がプールされている状態で、投入放出口３４にＩＣコイン２０が投入された場合（例えば、プレーヤが所持していたＩＣコイン２０が投入された場合）、ゲート板７２を開放操作して、第３のプール位置Ｐ３にプールされているＩＣコイン２０をプール回収部７０に回収させて、投入されたＩＣコイン２０の取込みを可能にし、また、第１のプール位置Ｐ１で、アンテナ３８で送受信処理されていたＩＣコイン２０が、投入放出口３４に移動して取り出されたときは、第３のプール位置Ｐ３にはプール回収部７０からＩＣコイン２０を補充して初期状態を形成する。
【００５４】
図８において、前述のプール回収通路７１の下部位置には、ＩＣコイン２０をプール（または回収）したり、送出（または補給）したりするために正逆に搬送するための搬送ベルト８０を張設している。
【００５５】
この搬送ベルト８０は、プーリ８１…により屈曲状態に張設すると共に、搬送面にはＩＣコイン２０を正逆搬送できるように突起８２…をＩＣコイン２０の幅ピッチに対応させて取付けている。そして、搬送ベルト８０は第２の正逆転モータ８３によりギヤ８４，８５を介して正逆に駆動される。
【００５６】
なお、搬送ベルト８０で形成するプール回収部７０の下端開放部は適宜の回収部を形成し、必要以上のＩＣコイン２０は開放端から回収部に回収される。
【００５７】
図１１は、台間機１２の制御回路ブロック図を示し、制御部４２はＣＰＵ，ＲＯＭ，ＲＡＭを備え、ＣＰＵはＲＯＭに格納されたプログラムに沿って各回路装置を制御し、ＲＡＭは動作に必要なデータを記憶する。
【００５８】
そして、上述の制御部４２には、払出しボタン４３、ＩＣコイン返却ボタン４５、コインセンサ６５、ポジションセンサ６６、第１正逆転モータ５８、第２正逆転モータ８３、第１のソレノイド７４、払出し表示器４４、ＩＣコイン通信装置４１、紙幣処理部３３、遊技動体払出し部３９、外部通信装置９０を接続している。なお、外部通信装置９０はホストコンピュータ１０に接続してデータ通信を行う。
【００５９】
次ぎに、制御部４２のＩＣコイン処理動作を、図１２のフローチャートを参照して説明する。
【００６０】
ＩＣコイン処理部３５の初期状態は、図１３に示すように、投入放出口３４の位置の保持ディスク３７の保持部３６はＩＣコイン２０の投入が可能な状態にあり、第１、第２および第３のコインプール位置Ｐ１，Ｐ２，Ｐ３にはそれぞれＩＣコイン２０がプールされている。
【００６１】
プレーヤが紙幣処理部３３の紙幣挿入口３２に紙幣を挿入すると、該紙幣処理部３３が紙幣の真偽判別、金種判別を行って、真紙幣、例えば、千円札であることを識別すると、第１のコインプール位置Ｐ１の通信位置にプールされたＩＣコイン２０に対してアンテナ３８を介してＩＣコイン通信装置４１で、貨幣の価値、すなわち、１０００円の価値をＩＣコイン２０に書込むべく、データを送信する（ステップｎ１，ｎ２）。
【００６２】
一方、ＩＣコイン２０は、データを受信して、その価値データをＥＥＰＲＯＭ２５に記録する。
【００６３】
価値の書込みが正常に終了すると、第１のコインプール位置Ｐ１にプールしているＩＣコイン２０を投入放出口３４に放出するべくゼネバギヤ機構５１を駆動して保持ディスク３７を反時計方向に９０度の回転制御を行う。すなわち、第１の正逆転モータ５８を所定の放出方向に駆動して、ゼネバギヤドライバホイール５３を１回転制御する（ステップｎ３）。
【００６４】
上述の回転制御により、図１４に示すように、価値データを記録したＩＣコイン２０が投入放出口３４に放出されるので、プレーヤはこの放出を目視することでＩＣコイン２０の発行を確認することができる。
【００６５】
次ぎに、プレーヤが遊技を実行するために、すなわち、遊技動体の払出しを実行するために、払出しボタン４３を押下操作すると（ステップｎ４）、投入放出口３４に放出していたＩＣコイン２０を第１のコインプール位置Ｐ１に取込むべく（図１３の状態）、ゼネバギヤ機構５１を駆動制御して取込み、次ぎに、ＩＣコイン通信装置４１を駆動制御して、ＩＣコイン２０に記録されている価値データを読取る（ステップｎ５）。
【００６６】
次ぎに、ＩＣコイン２０から読取った価値データが２回分の払出しに対応する価値があるか否かを判定し（ステップｎ６）、例えば、遊技動体の１回の払出し量が５００円に対応する量に設定している場合、ＩＣコイン２０の初期発行が１０００円であるとすれば、２回分の価値があるので、ＩＣコイン２０の価値を１回分を減算して残価値（上述例では５００円の残価値）に更新記録する（ステップｎ７）。そして、ＩＣコイン２０はこの第１のコインプール位置Ｐ１で待機する。
【００６７】
次ぎに、遊技動体払出し部３９を駆動制御して、１回分、例えば、５００円に対応する量の遊技動体を払出す（ステップｎ８）。この払出し状態は払出し表示器４４で表示し、さらに、払出しが終了すると、ＩＣコイン２０に記録されている残価値を表示する。
【００６８】
遊技動体を遊技機１１に払出すことによりプレーヤは遊技を実行し、この遊技中は、ＩＣコイン２０は内部の第１のコインプール位置Ｐ１にプールしている。
プレーヤが続けて遊技をするときは、払出しボタン４３を押下することにより、ステップｎ５，ｎ６の処理が実行されるが、しかし、この払出しでＩＣコイン２０の残価値が零（０円）になるときは、ＩＣコイン通信装置４１を駆動制御して、ＩＣコイン２０の価値データを零に記録更新し（ステップｎ１０）、次ぎに、遊技動体払出し部３９を駆動制御して、１回分（５００円に対応する量）の遊技動体を払出す（ステップｎ１１）。この払出し状態も払出し表示器４４で表示し、さらに、払出しが終了すると、ＩＣコイン２０の記録されている残価値が零（０円）であることを表示すると共に、該ＩＣコイン２０は放出されることなく、第１のコインプール位置Ｐ１でプールを保持し、図１３で示した、初期状態として待機することになる。
【００６９】
一方、前述のステップｎ９で、プレーヤが遊技を中止して、残価値のあるＩＣコイン２０の返却を希望するべく、ＩＣコイン返却ボタン４５を操作すると、ゼネバギヤ機構５１を放出方向に駆動制御して、第１のコインプール位置Ｐ１にプールされているＩＣコイン２０を投入放出口３４に放出し（ステップｎ１３）、コインセンサ６５がＩＣコイン２０の抜取りを検出することにより（ステップｎ１４）処理を終了する。
【００７０】
なお、このＩＣコイン２０の抜取りは、図１４で示す投入放出口３４にあるＩＣコイン２０を抜取ることになるので、第３のコインプール位置Ｐ３にＩＣコイン２０のプールがなくなる。そのため、プール回収部７０から１枚のＩＣコイン２０を補充（補給）するべく、第１のソレノイド７４を駆動し、ゲート板７２を退避してプール回収通路７１を開放し、第２の正逆転モータ８３を補充方向に駆動制御して、１枚のＩＣコイン２０を第３のコインプール位置Ｐ３に補充した後、ゲート板７２を突出させてプール回収通路７１を閉鎖して、ＩＣコイン２０のプールの初期状態に戻す。
【００７１】
前述のステップｎ４では、ＩＣコイン２０が投入放出口３４に放出された状態であるので、この状態でＩＣコイン２０が抜取られた場合、あるいは、、ＩＣコイン返却ボタン４５が操作されると、この場合、ＩＣコイン２０の発行のみで、プレーヤは遊技を実行しなかったことを意味し、コインセンサ６５がＩＣコイン２０の抜取りを検出することにより（ステップｎ１５）処理を終了して、上述したＩＣコイン２０の補充（補給）の処理が実行される。
【００７２】
上述の処理は、貨幣の投入に基づいてＩＣコイン２０を発行して、遊技動体を払出したが、他の払出しとしては、ホール内のＩＣコイン発行機１４で発行したＩＣコイン２０を投入して遊技する場合がある。
【００７３】
すなわち、ＩＣコイン処理部３５の初期状態が、図１３に示すように、投入放出口３４の位置の保持ディスク３７の保持部３６はＩＣコイン２０が投入可能状態にあり、第１、第２および第３のコインプール位置Ｐ１，Ｐ２，Ｐ３にはそれぞれＩＣコイン２０をプールしている。
【００７４】
この状態で投入放出口３４にＩＣコイン２０が投入されて、これを内部に取込むと、第３のコインプール位置Ｐ３のＩＣコイン２０は過剰プールとなるため、このＩＣコイン２０をプール回収部７０に移動させる。この移動のタイミングはＩＣコイン２０の投入をコインセンサ６５が検知したときに実行される（ステップｎ１６）。
【００７５】
すなわち、図１５に示すように、第１のソレノイド７４を駆動して、ゲート板７２を退避してプール回収通路７１を開放し、第２の正逆転モータ８３をプール方向に駆動制御して、ＩＣコイン２０の１枚分スペースを開けることにより、第３のコインプール位置Ｐ３にプールされていたＩＣコイン２０がプール回収部７０に移動して回収され、その後、ゲート板７２を突出させてプール回収通路７１を閉鎖する。
【００７６】
投入されたＩＣコイン２０による遊技動体の払出しは、前述したステップｎ４以降のフローで実行される。
【００７７】
なお、ＩＣコイン２０をＩＣコイン発行機１４で発行した場合、高額の紙幣での発行が可能であるので、換言すれば、３回分以上の払出しが可能な価値を付与することができるので、遊技動体の払出しに伴うＩＣコイン２０のプール処理において、ＩＣコイン２０に記録した価値が零（０円）になるか、またはＩＣコイン返却ボタン４５が操作されるまで、アンテナ３８と対向する第１のコインプール位置Ｐ１にＩＣコイン２０を取込んだ状態にして払出しを行うもよく、または、遊技動体の払出しの度に、すなわち、１回の払出し分の価値を減算する度にＩＣコイン２０を投入放出口３４に放出し、払出しボタン４３の操作の度に内部に取り込むように構成してもよい。
【００７８】
図１６は、ＩＣコイン２０の処理の他の例を示し、この例では、台間機１２に紙幣を投入したとき（ステップｎ２１）、この紙幣の投入は遊技を行う意思表示であると判断して、投入金額から１回分の価値を減算し、その残価値をＩＣコイン２０に記録して（ステップｎ２２）、遊技動体の払出しを実行する。この払出しの処理は、図１２で示したステップｎ８に移行し、その後の払出し処理およびＩＣコイン２０の処理は該図１２で説明した処理が実行される。
【００７９】
上述の実施例において、ＩＣコイン処理部３５の保持ディスク３７をゼネバギヤ機構５１で角９０度の駆動を行ったが、他の手段としてはパルスモータや他のモータにより角９０度の駆動をすることができる。しかし、ゼネバギヤ機構５１を用いた場合、正確な位置出しが安価なモータの使用で可能となる利点を有する。
【００８０】
また、上述の実施例では保持ディスク３７に保持部３６を４個所形成したが、この個数に限定されることなく、任意数に設定することができる。
【００８１】
図１７は、ＩＣコイン処理部３５に対するＩＣコイン２０の補給の他の例を示す。
【００８２】
前述の図８で示したプール回収部７０は、ＩＣコイン２０の補充と回収との機能を備えているが、この実施例では、上述のプール回収部７０に対応する部分はＩＣコイン２０の回収専用に設定して、これに回収されるＩＣコイン２０は通路７１からユニット後部に放出されて、適宜搬送手段を介して、図１に示した回収機１６に回収するように形成する。
【００８３】
また、上述のＩＣコイン処理部３５にＩＣコイン２０を補給するＩＣコイン補給部９１はＩＣコイン処理部３５の上部に配置している。
【００８４】
上述のＩＣコイン補給部９１は、前面側にＩＣコイン２０を補給するためのＩＣコイン補給口９２を形成しており、内部にはこの補給口９２に連通し補給ＩＣコイン２０を転動させるために傾斜した補給通路９３をＵ字状に形成してる。
【００８５】
上述の補給通路９３の終端は下部のＩＣコイン処理部３５の第１のコインプール位置Ｐ１の上方位置に設定し、ＩＣコイン処理部３５側にも、上述補給通路９３の終端と、第１のコインプール位置Ｐ１とを垂直方向に連通する連通路９４を形成して、これら通路９３と９４と間には、通路９３，９４を開閉する第２のゲート板９５、および終段のＩＣコイン２０が補給されるとき、次ぎのＩＣコイン２０の流下転動を停止させるストッパ９６を配置している。
【００８６】
図１８、図１９にも示すように、第２のゲート板９５は、補給通路９３を水平方向に出退するように構成している。上述の第２のゲート板９５はＬ字状に形成して、その屈曲部を適宜の固定部にピン９７で軸支し、該ゲート板９５の補給通路９３側には該通路９３を遮断する遮断面９８と、ＩＣコイン２０の補給を許容するためにＩＣコイン２０を通過させる開口部９９を形成している。
【００８７】
また、この第２のゲート板９５には、前述のストッパ９６が連設され、このストッパ９６は、開口部９９が補給通路９３を開放している時、次段のＩＣコイン２０の流下転動を停止させるために、補給通路９３を遮断し、ゲート板９５の遮断面９８が補給通路９３を遮断しているときは、ストッパ９６は補給通路９３から退避して次段のＩＣコイン２０の流下を許容する。
【００８８】
そして、この第２のゲート板９５およびストッパ９６は、ピン１００を介して第２のソレノイド１０１を連結し、このソレノイド１０１の操作により開閉操作される。
【００８９】
通常、ＩＣコイン２０の補給を必要としないときは、第２のゲート板９５は、その遮断面９８で補給通路９３を遮断しているので、補給通路９３内の複数のＩＣコイン２０は流下することなくプールされる。
【００９０】
ＩＣコイン処理部３５の第１のコインプール部Ｐ１にＩＣコイン２０の補給が必要になったきは、第２のソレノイド１０１が駆動されて、第２のゲート板９５の開口部９９が補給通路９３を開き、同時にストッパ９６が補給通路９３に突出するので、２段目以降のＩＣコイン２０の流下転動が停止された状態で、１段目のＩＣコイン２０のみが第２のゲート板９５の開口部９９を通って連通路９４に入り、保持ディスク３７の第１のコインプール位置Ｐ１の保持部３６に補給される。
【００９１】
その後、第２のソレノイド１０１の駆動を停止すると、第２のゲート板９５が元の位置に復帰して、その遮断面９８で補給通路９３を閉鎖する。
【００９２】
なお、ＩＣコイン補給部９１の前面側に形成したＩＣコイン２０を補給するためのＩＣコイン補給口９２は、これを店員が開閉をすることができるシャッタを装着することもできる。この場合、プレーヤがプレーのためにＩＣコイン２０を投入する投入放出口３４と間違うことが避けられる。
【００９３】
この発明の構成と、上述の実施例との対応において、
この発明のＩＣコイン処理装置は、実施例のＩＣコイン処理部３５に対応し、
以下同様に、
ＩＣコインの記録手段は、ＥＥＰＲＯＭ２５に対応し、
ＩＣコインの通信手段は、Ａ／Ｄ変換器２６、アンテナ２７に対応し、
ＩＣコインの制御手段は、ＣＰＵ２２に対応し、
回動体は、保持ディスク３７に対応し、
通信位置は、アンテナ３８が存在する第１のコインプール位置Ｐ１に対応し、
駆動手段は、ゼネバギヤ機構５１、正逆転モータ５８に対応し、
回収手段は、プール回収部７０の回収機能に対応するも、
この発明は、上述の実施例の構成のみに限定されるものではなく、多くの実施の形態を得ることができる。
【図面の簡単な説明】
【図１】  遊技機システムを示す構成図。
【図２】  ＩＣコインの平面図。
【図３】  ＩＣコインの断面図。
【図４】  ＩＣモジュールの回路構成を示すブロック図。
【図５】  ＥＥＰＲＯＭに記録されるデータの説明図。
【図６】  台間機の正面図。
【図７】  台間機の内部の概略側面図。
【図８】  ＩＣコイン処理部の側面図、
【図９】  ＩＣコイン処理部の横断面図。
【図１０】  ゲート板部分の断面図。
【図１１】  台間機１２の制御回路ブロック図。
【図１２】  ＩＣコイン処理動作のフローチャート。
【図１３】  保持ディスクの初期状態を示す説明図。
【図１４】  保持ディスクのＩＣコイン放出状態を示す説明図。
【図１５】  保持ディスクのプール回収部への回収動作を示す説明図。
【図１６】  他の例のＩＣコイン処理動作のフローチャート。
【図１７】  他の例のＩＣコイン補給部の概略断面側面図。
【図１８】  第２のゲート板部分の平面図。
【図１９】  第２のゲート板部分の動作状態を示す説明図。
【符号の説明】
１１…遊技機
１２…台間機
２０…ＩＣコイン
２２…ＣＰＵ
２５…ＥＥＰＲＯＭ
２６…Ａ／Ｄ変換器
２７…アンテナ
３４…投入放出口
３５…ＩＣコイン処理部
３７…アンテナ
４１…ＩＣコイン通信装置
７０…第２のプール部
【図１】
0004441984.tif 000002
【図２】
0004441984.tif 000003
【図３】
0004441984.tif 000004
【図４】
0004441984.tif 000005
【図５】
0004441984.tif 000006
【図６】
0004441984.tif 000007
【図７】
0004441984.tif 000008
【図８】
0004441984.tif 000009
【図９】
0004441984.tif 000010
【図１０】
0004441984.tif 000011
【図１１】
0004441984.tif 000012
【図１２】
0004441984.tif 000013
【図１３】
0004441984.tif 000014
【図１４】
0004441984.tif 000015
【図１５】
0004441984.tif 000016
【図１６】
0004441984.tif 000017
【図１７】
0004441984.tif 000018
【図１８】
0004441984.tif 000019
【図１９】
0004441984.tif 000020